(57)【要約】【課題】導入口を外筒に対して斜めに穿たなくても、冷媒・潤滑油混合物を螺旋旋回させて遠心分離可能なオイルセパレータを提供すること。【解決手段】オイルセパレータの外筒１は、肉盛り座部２の表面から、吐出口から遠ざかる方向に長い断面を有する長孔２１が穿たれる。そして、外筒１の軸に直交する平面と平行となる方向で、外筒１の表面から真っ直ぐに穿設工具を挿入したときに当該穿設工具の側面が外筒１の内壁をえぐる位置に当該長孔２１は穿たれる。また、この長孔２１は、吐出口から遠ざかる方向（図の下方）にある位置の部分ほど、深さが大きくなっており、当該深さが滑らかに遷移している。長孔２１が上記のようになっていると、当該長孔２１から導入される混合物が、壁部２２にぶつかり、これに沿って、潤滑油の混合物の流れが形成される。したがって、結局、流れを曲げたい方向（図の下方）に、混合物の流れ２３が曲げられことになる。【選択図】        図２−１
2006308227.tif 000002
【特許請求の範囲】
【請求項１】
冷媒と潤滑油の混合物の流れを曲げたい方向に長い断面を有し、
外筒の中心軸に直交する平面と平行となる方向で当該外筒の表面から真っ直ぐに穿設工具を挿入したときに当該穿設工具の側面が当該外筒の内壁をえぐる位置に穿たれる長孔であって、
前記混合物の流れを曲げたい方向にある位置の孔ほど、前記長孔の深さが大きくなっており、当該深さが滑らかに遷移していることを特徴とするオイルセパレータ。
【請求項２】
外筒の中心軸に直交する平面と平行となる方向で、当該外筒壁を貫く長孔であって、前記外筒を側面から見た場合、冷媒と潤滑油との混合物の流れを曲げたい方向に対して直角方向に一定角度傾いた断面を有する長孔を有し、
前記混合物の流れを曲げたい方向の端に位置する部分の前記長孔は、当該外筒の断面円形内壁の接線方向で穿たれることを特徴とするオイルセパレータ。
【発明の詳細な説明】
【技術分野】
【０００１】
本発明は、オイルセパレータに関するものであり、更に詳しくは、空気調和装置の冷媒回路に用いられる圧縮機から排出される潤滑油を簡易な構造で取り除くオイルセパレータに関する。
【背景技術】
【０００２】
冷媒を圧縮する圧縮機において、冷媒中に潤滑油を混入させ、当該潤滑油によって圧縮機の各種機構を滑らかに作動させる技術が従来から用いられている。しかし、潤滑油を混入させたままの冷媒をそのまま冷媒回路で循環させると、回路中の蒸発器や凝縮器等の熱交換部に潤滑油が付着し、蒸発器等の熱交換性能が低下してしまう。そこで、そのような性能低下を防止するために、一般的に、当該潤滑油を冷媒から分離するオイルセパレータが用いられる。
【０００３】
オイルセパレータは、円筒形状の外筒と、この外筒と同心状に配設された内筒とを有し、圧縮機と独立した装置として設けられるタイプ、設置スペースとの関係から圧縮機の内部に上記外筒と内筒とが構築されるタイプ、または内筒が無く、外筒のみで構築されるタイプがある。これらのオイルセパレータは、冷媒と潤滑油との混合物から潤滑油を遠心分離させるものであり、分離された潤滑油は、当該オイルセパレータ下部の貯油部に溜まり、再び圧縮機の吸入口に循環させられる。
【０００４】
上記遠心分離作用は、外筒に導入された冷媒と潤滑油との混合物が、内筒外壁の周りや外筒内壁等を螺旋状に下方に向けて旋回する際の遠心力を利用する。すなわち、オイルセパレータは、比重の高い霧状の潤滑油が、旋回による遠心力によって冷媒から分離され、内筒の外壁面や外筒の内壁面をたどって下方に流れるしくみとなっている。上記混合物が導入される導入口は、当該混合物が円滑に螺旋運動するように（導入口から吐出口へと旋回・分離行程を経ずに吐出される流れを防ぐ為に）、斜め下方向（吐出口から遠ざかる方向）に向けて穿たれるのが一般的である（たとえば、特許文献１）。
【０００５】
【特許文献１】特開２００３−３３６５８８号公報
【発明の開示】
【発明が解決しようとする課題】
【０００６】
しかしながら、オイルセパレータの外筒は、円筒形状をしているために、冷媒と潤滑油の混合物を、長手方向でいう下方に向けて（吐出口から遠ざかる方向に）吹き出させる導入口を斜めに穿つことは、手間がかかり、加工工数を増やすことになって、コスト競争の激しい自動車部品や家電製品の部品としてのオイルセパレータとしては好ましくなかった。特に、圧縮機ケースの深い部分に内蔵されるオイルセパレータの外筒に斜めに導入口を穿つことは、工具の挿入角度の関係上、困難であった。
【０００７】
そこで、この発明は、上記に鑑みてなされたものであって、冷媒と潤滑油の混合物を導入する導入口を外筒に対して斜めに穿たなくても、当該混合物を螺旋旋回させる（導入口から吐出口へと旋回・分離行程を経ずに吐出される流れを防ぐ）ことができるオイルセパレータを提供することを目的とする。
【課題を解決するための手段】
【０００８】
上述の目的を達成するために、この発明にかかるオイルセパレータは、冷媒と潤滑油の混合物の流れを曲げたい方向に長い断面を有し、外筒の中心軸に直交する平面と平行となる方向で当該外筒の表面から真っ直ぐに穿設工具を挿入したときに当該穿設工具の側面が当該外筒の内壁をえぐる位置に穿たれる長孔であって、前記混合物の流れを曲げたい方向にある位置の孔ほど、前記長孔の深さが大きくなっており、当該深さが滑らかに遷移しているようにしたものである。
【０００９】
オイルセパレータの外筒は、表面から吐出口から遠ざかる方向に長い断面を有する長孔が穿たれる。そして、外筒の軸に直交する平面と平行となる方向で、外筒の表面から真っ直ぐに穿設工具を挿入したときに、当該工具の側面が外筒の内壁をえぐる位置に長孔は穿たれる。また、この長孔は、吐出口から遠ざかる方向にある位置の部分ほど、深さが大きくなっており、当該深さが滑らかに遷移している。長孔が上記のようになっていると、長孔から導入される混合物が、上記えぐる部分に形成される壁部にぶつかる。そして、当該壁部は、斜めに形成されるから、これに沿って潤滑油の混合物の流れが形成される。したがって、結局、流れを曲げたい方向に、混合物の流れが曲げられことになる。
【００１０】
また、この発明にかかるオイルセパレータは、外筒の中心軸に直交する平面と平行となる方向で、当該外筒壁を貫く長孔であって、前記外筒を側面から見た場合、冷媒と潤滑油との混合物の流れを曲げたい方向に対して直角方向に一定角度傾いた断面を有する長孔を有し、前記混合物の流れを曲げたい方向の端に位置する部分の前記長孔は、当該外筒の断面円形内壁の接線方向で穿たれるようにしたものである。
【００１１】
長孔が上記のようになっていると、混合物の流れを曲げたい方向の端に位置する部分の長孔を通って導入される混合物は、円筒内壁に沿って流れる。これに対し、混合物の流れを曲げたい方向と反対方向の端に位置する部分の長孔を通って導入される混合物は、孔の真っ正面にある部分の内壁に衝突し、動圧が下がる分だけ静圧が高くなる。この静圧の差により、混合物の流れに下方成分が生じる。したがって、結局、全体として流れを曲げたい方向（図の下方）に、混合物の流れが曲げられことになり、混合物は、螺旋状に内壁を伝わるようになる。
【発明の効果】
【００１２】
以上説明したように、この発明に係るオイルセパレータによれば、冷媒と潤滑油の混合物を導入する導入口を外筒の中心軸に対して斜めに穿たなくても、当該混合物を螺旋旋回させることができる。つまり、導入口を吐出口から遠ざかる方向に設置しなくても、冷媒と潤滑油との混合物を外筒の内壁に沿って螺旋運動させ、それによって潤滑油を遠心分離させることができ、混合物が導入口から吐出口へと旋回・分離行程を経ずに吐出されることを防ぐことができる。
【発明を実施するための最良の形態】
【００１３】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【実施例１】
【００１４】
図１−１〜１−３は、この発明の実施例１に係るオイルセパレータを示す斜視図、断面図、および側面図である。このオイルセパレータは、外筒のみを有し、内筒を有しないタイプである。このオイルセパレータの外筒１の一部には、ドリル等の穿孔工具の挿入方向に対して直角となる平面を形作る肉盛り座部２が設けられる。なお、当該肉盛り座部２は、加工を容易にするために一般に設けられるもので、この発明に必ず必要となるものではない。
【００１５】
図１−１〜１−３に示すように、外筒１には、２つの孔が設けられる。第一の孔３は、外筒１の中心軸に直交する平面と平行となる方向で、かつ外筒１の断面円形内壁の接線方向で、外筒１の壁を貫く孔である。ここでは、当該第一の孔３の深さは、外筒１の半径と等しくしてある。これ以上の深さだと、対面する内壁にくい込み、内面に余計な圧損や流れの乱れを生じさせてしまうからである。
【００１６】
第二の孔４は、径が第一の孔３よりも相対的に小さく、第一の孔３と交わらずに、第一の孔３に対して冷媒と潤滑油の混合物を向けさせる方向にずれた位置で、第一の孔３と平行で、かつ断面円形である内壁１３の接線方向で、外筒１の壁を貫くものである。また、第二の孔４の深さは、第一の孔３と同様に、外筒１の半径と等しくなっている。第一の孔３に対して冷媒と潤滑油の混合物を向けさせる方向とは、通常オイルセパレータの長手方向で下方であり、導入口から導入される当該混合物が十分に遠心分離せずに吐出口から出ていかないように、十分な遠心分離作用を施すべく、吐出口から遠ざかる方向をいう。
【００１７】
第一の孔３が外筒１の内壁１３に顔を出す部分５から外筒１内に導入される冷媒と潤滑油の混合物（以下、単に混合物という。）は、そのまま真っ直ぐに進もうとするが、すぐ下にある第二の孔４の影響により、図の下方に曲がる速度成分が生じて、下方に向けて螺旋運動を開始する。
【００１８】
ここで、第二の孔４の影響とは、静圧の影響である。以下、当該影響について説明する。第二の孔４は、第一の孔３よりも面積が小さく、外筒１の外側から導入される混合物にとって、第二の孔４は、第一の孔３よりも圧力損失が大きくなっている。ここで、外筒１の外部における冷媒の圧力をＨＰとし、外筒１の内部における冷媒の圧力をＭＰとすると（ＨＰ＞ＭＰ）、第一の孔３及び第二の孔４における圧力バランスは、それぞれ式（１）、式（２）のようになる。
ＨＰ＝ＭＰ＋ρＶ12／２＋ΔＰ１・・・（１）
ＨＰ＝ＭＰ＋ρＶ22／２＋ΔＰ２・・・（２）
ここで、ρは冷媒の密度であり、Ｖ１、Ｖ２は、それぞれ第一の孔３、第二の孔４から外筒１内へ流入する冷媒の流速であり、ΔＰ１、ΔＰ２は、それぞれ第一の孔３、第二の孔４の圧力損失である。
【００１９】
ΔＰ１＜ΔＰ２とすると、式（１）、式（２）から、Ｖ１＞Ｖ２となる。外筒１内には、すでに冷媒の旋回流が存在する。この旋回流の流速（旋回流速度）をＶ０とする。第一の孔３及び第二の孔４から新しく外筒１内へ流入する冷媒は、前記旋回流速度Ｖ０と略等しくなる。第一の孔３から外筒１内へ流入する冷媒の流速（以下、第一の速度という。）Ｖ１は、第二の孔４から外筒１内へ流入する冷媒の流速（以下、第二の速度という。）Ｖ２よりも大きい。このため、第一の速度Ｖ１及び第二の速度Ｖ２が、旋回流速度Ｖ０になったときには、第一の孔３から外筒１内へ流入する冷媒の流れ（以下、第一流れという。）の静圧Ｐｓ１は、第二の孔４から外筒１内へ流入する冷媒の流れ（以下、第二流れという。）の静圧Ｐｓ２よりも大きくなる（ベルヌーイの定理）。
【００２０】
すなわち、第一の孔３が外筒１の内壁１３に顔を出す部分５から外筒１内に導入される混合物の流れ１０は、すぐ下にある孔６（４）から導入される混合物の流れ１１に、静圧の違いによって、引き寄せられ、図に点線で示したように、図の下方に曲がる。このような作用を発生させるため、この発明では、第一の孔３と第二の孔４との間隔は、第二の孔４から導入される混合物周辺の圧力変化が第一の孔３から導入される混合物に影響を及ぼす距離であることが必要となる。離れすぎていると、速度の違いによる圧力変化が互いに影響を及ぼすことなく、流れを曲げるまでには至らないからである。この観点からは、第一の孔３と第二の孔４との中心間距離Ｌは、（第一の孔の半径）＋（第二の孔の半径）＜Ｌ＜（第一の孔の直径）とするのが理想である。
【００２１】
上記のように、大きさの異なる孔３、４を形成するには、ドリルの径を変えるのが一般的であるが、同一のドリルで、完全に外筒を貫通する手前で加工を止めると、ドリルの先端のみによって小さな孔が穿設可能となる。このようにすれば、ドリル交換の手間も省け、加工工数をさらに減少させることができる。
【００２２】
このように、この発明にかかるオイルセパレータは、混合物を導入する導入口を外筒に対して斜めに穿たなくても、当該混合物を吐出口から遠ざかる方向で十分な螺旋旋回をさせ、潤滑油を遠心分離させることができるという効果を有する。これにより、オイルセパレータに穿つ孔の加工も容易となり、加工数減少による加工コストの低減を実現できる。
【実施例２】
【００２３】
図２−１〜２−３は、この発明の実施例２に係るオイルセパレータを示す斜視図、断面図、および側面図である。肉盛り座部２の形成は実施例１と同様なので、ここでは説明を省略する。また、実施例１と同一の部分には、同一の符号を付して説明を省略する。
【００２４】
この発明にかかるオイルセパレータの外筒１は、肉盛り座部２の表面から、長孔２１が穿たれる。上記図に示すように、この長孔２１は、混合物の流れを曲げたい方向、つまり、吐出口から遠ざかる方向で、図でいうところの下方に長い断面を有する。そして、外筒１の軸に直交する平面と平行となる方向で、外筒１の表面（肉盛り座部２）から真っ直ぐにドリル等の穿設工具を挿入したときに当該穿設工具の側面が外筒１の内壁をえぐる位置に当該長孔２１は穿たれる。つまり、図２−３のように、側面から見た場合に、長孔２１から内壁の断面が見える位置に、当該長孔２１が穿たれる。
【００２５】
そして、混合物の流れを曲げたい方向（吐出口から遠ざかる方向で図の下方）にある位置の部分ほど、当該長孔２１の深さが大きくなっており、当該深さが滑らかに遷移している。長孔２１の深さの具体的な値は、この発明において本質的ではないが、長孔２１が外筒１の内壁１３をえぐる深さと、混合物の流れが曲がり具合とのバランスを考慮して、決定するのが好ましい。ここでは、一般的な位置として、図２−２に示すように、外筒１の径の、およそ半分となる位置で孔が終わるようにした。なお、上記深さの滑らかな遷移には、ドリルやリーマの先端角度を利用すると加工が容易である。
【００２６】
長孔２１が上記のようになっていると、当該長孔２１から導入される混合物が、長孔２１が内壁１３をえぐる部分２４の流れ方向終端に形成される壁部２２にぶつかる。そして、当該壁部２２は、深さの違いから斜めに形成されるので、これに沿って、流れが形成される。したがって、結局、流れを曲げたい方向（図の下方）に、混合物の流れ２３が曲げられことになり、外筒１の下方に向く速度成分により、当該混合物は、螺旋状に内壁１３を伝わるようになる。
【００２７】
このように、この発明にかかるオイルセパレータは、混合物を導入する導入口を外筒に対して斜めに穿たなくても、当該混合物を螺旋旋回させることができるという効果を有する。これにより、オイルセパレータに穿つ孔の加工も容易となり、加工コストの低減を実現できる。
【実施例３】
【００２８】
図３−１〜３−３は、この発明の実施例３に係るオイルセパレータを示す斜視図、断面図、および側面図である。肉盛り座部２の形成は実施例１等と同様なので、ここでは説明を省略する。また、実施例１と同一の部分には、同一の符号を付して説明を省略する。
【００２９】
この発明にかかるオイルセパレータの外筒１は、肉盛り座部２の表面から、長孔３１が穿たれる。図３−２、３−３に示すように、この長孔３１は、外筒１を側面から見た場合、混合物の流れを曲げたい方向、つまり、図の下方に対して直角方向に一定角度傾いた断面形状を有する。混合物の流れを曲げたい方向と反対方向の端に位置する部分３１ａの長孔３１は、外筒１の中心軸に直交する平面と平行となる方向で外筒１を貫いている。また、混合物の流れを曲げたい方向の端に位置する部分３１ｂの長孔３１は、外筒１の中心軸に直交する平面と平行となる方向で、かつ外筒１の断面円形内壁１３の接線方向で、外筒１の壁を貫くようにしてある。なお、上記部分３１ａの長孔３１の深さは、外筒１の半径と同一として、対面となる内壁１３には穿たず、混合物の流れに余計な影響を与えないようにしている。
【００３０】
長孔３１が上記のようになっていると、混合物の流れを曲げたい方向の端に位置する部分３１ｂの長孔３１を通って導入される混合物は、円筒内壁１３に沿って流れる。これに対し、混合物の流れを曲げたい方向と反対側の端に位置する部分３１ａの長孔３１を通って導入される混合物は、孔の真っ正面にある部分３３の内壁１３に衝突し、動圧が下がる分だけ静圧が高くなる（ベルヌーイの定理）。これにより、内壁１３の長手方向で静圧の勾配ができて、混合物の流れに下方成分が生じる。したがって、結局、全体として流れを曲げたい方向（図の下方）に、混合物の流れ３４が曲げられことになり、混合物は、螺旋状に内壁１３を伝わり、遠心分離作用により、潤滑油が分離される。
【００３１】
また、長孔３１が上記のようになっていると、当該長孔３１の上部となる部分３１ａと下部となる部分３１ｂとで、孔の深さ異なることになる。孔の深さ（長さ）が異なれば、混合物の速度分布も異なり、圧力差にも変化が起きる。したがって、孔の深さ（長さ）の変化にも考慮して、長孔３１の上記幾何学的な配置を決定することが重要である。なお、ここでは、長孔３１を採用したが、これを複数に分離したような複数の孔としても、上記と同様に、混合物の流れを曲げることができる。
【００３２】
このように、この発明にかかるオイルセパレータは、混合物を導入する導入口を外筒に対して斜めに穿たなくても、当該混合物を螺旋旋回させることができるという効果を有する。これにより、オイルセパレータに穿つ孔の加工も容易となり、加工数減少による加工コストの低減を実現できる。
【実施例４】
【００３３】
図４−１〜４−３は、この発明の実施例４に係るオイルセパレータを示す斜視図、断面図、および側面図である。肉盛り座部２の形成は実施例１等と同様なので、ここでは説明を省略する。また、実施例１と同一の部分には、同一の符号を付して説明を省略する。
【００３４】
この発明にかかるオイルセパレータの外筒１は、肉盛り座部２の表面から、複数の孔４１、４２、４３が穿たれる。図４−３に示すように、これらの孔４１、４２、４３は、外筒１を側面から見た場合、冷媒と潤滑油の混合物の流れを曲げたい方向に対して直角方向で外筒１の軸方向に一定角度傾いて並設される。また、これらの孔４１、４２、４３は、外筒１の軸に直交する平面と平行となる方向で、外筒１を貫いている。なお、ここでは孔を３つ穿設した場合を示したが、原理的にこの数に限るものではない。
【００３５】
孔４１、４２、４３が上記のようになっていると、それぞれの孔４１、４２、４３から導入される混合物は、孔の真っ正面にある部分４４、４５、４６の内壁１３にそれぞれぶつかり、動圧が下がる分だけ静圧が高くなる。その静圧の上昇する度合いは、衝突の度合い、すなわち孔４１、４２、４３の正面にある内壁１３の角度によって変わる。具体的には、孔４１から導入される混合物が内壁１３に衝突する場合が、最も正面の内壁１３の角度が大きいので、静圧が上昇しやすい。他方、孔４３から導入される混合物は、内壁１３の略接線方向に導入されるから、衝突とまではいかず、内壁１３に沿って流れて静圧は上昇しにくい。このような原理から、当該静圧の高い方から低い方へ、混合物は流れ方向が変わる。したがって、結局、全体として流れを曲げたい方向（図の下方）に、混合物の流れ４７、４８、４９が曲げられることになり、当該混合物は、螺旋状に内壁１３を伝わるようになる。
【００３６】
混合物の流れを曲げたい方向の端に位置する孔４３は、できるだけ、外筒１の内壁の接線方向にした方が、当該内壁に沿った流れが残りやすく、孔４２から導入される混合物の静圧上昇との間で差が生じやすいので好ましい。孔の数を２つにして、一方の孔を当該接線方向としたのが、図５−１〜５−３、および図６−１〜６−３である。具体的に、図５−１〜５−３は、孔５１が接線方向に穿たれた孔であり、当該孔５１が、孔５２よりも低い位置（混合物の流れを曲げたい方向の位置）に穿たれている。これは、図４−１等の孔４３が内壁接線方向に穿たれたものと考えればよい。
【００３７】
また、孔５２は、孔５１に対して、水平方向で角度を有するように穿たれている（図５−２、５−３参照）。このようにしても、孔５１と孔５２とから導入される混合物の流れに、静圧の差が生じ、外筒１の中心軸方向における両孔５１、５２の位置の違いから、混合物の流れは図の下方に曲がる。孔５２の孔５１に対する上記水平方向の角度は、図６−１〜６−３の孔６２の孔６１に対する角度のように、できるだけ急角度にして、内壁１３にぶつかるようにした方が、混合物の流れの動圧成分が静圧成分に変わりやすく、孔６１との静圧の差が大きくなるので好ましい。
【００３８】
このように、この発明にかかるオイルセパレータは、混合物を導入する導入口を外筒に対して斜めに穿たなくても、当該混合物を螺旋旋回させることができるという効果を有する。これにより、オイルセパレータに穿つ孔の加工も容易となり、加工数減少による加工コストの低減を実現できる。なお、上記複数の孔は、これらを繋げるような１つの長孔にしても同一の効果が得られる。
【産業上の利用可能性】
【００３９】
以上のように、本発明にかかるオイルセパレータは、自動車部品や家電製品の部品としての空気調和装置に用いられるオイルセパレータに有用であり、特に、圧縮機内部に構築されるオイルセパレータの生産、使用に適している。
【図面の簡単な説明】
【００４０】
【図１−１】この発明の実施例１に係るオイルセパレータを示す斜視図である。
【図１−２】この発明の実施例１に係るオイルセパレータを示す断面図である。
【図１−３】この発明の実施例１に係るオイルセパレータを示す側面図である。
【図２−１】この発明の実施例２に係るオイルセパレータを示す斜視図である。
【図２−２】この発明の実施例２に係るオイルセパレータを示す断面図である。
【図２−３】この発明の実施例２に係るオイルセパレータを示す側面図である。
【図３−１】この発明の実施例３に係るオイルセパレータを示す斜視図である。
【図３−２】この発明の実施例３に係るオイルセパレータを示す断面図である。
【図３−３】この発明の実施例３に係るオイルセパレータを示す側面図である。
【図４−１】この発明の実施例４に係るオイルセパレータを示す斜視図である。
【図４−２】この発明の実施例４に係るオイルセパレータを示す断面図である。
【図４−３】この発明の実施例４に係るオイルセパレータを示す側面図である。
【図５−１】この発明の実施例５に係るオイルセパレータを示す斜視図である。
【図５−２】この発明の実施例５に係るオイルセパレータを示す断面図である。
【図５−３】この発明の実施例５に係るオイルセパレータを示す側面図である。
【図６−１】図５−１のオイルセパレータの変形例を示す斜視図である。
【図６−２】図５−２のオイルセパレータの変形例を示す断面図である。
【図６−３】図５−３のオイルセパレータの変形例を示す側面図である。
【符号の説明】
【００４１】
１  外筒
２  盛り座部
３、４、５、６、４１、４２、４３、５１、５２、６１、６２  孔
１３  内壁
２１、３１  長孔
２２  壁部
【図１−１】
2006308227.tif 000003
【図１−２】
2006308227.tif 000004
【図１−３】
2006308227.tif 000005
【図２−１】
2006308227.tif 000006
【図２−２】
2006308227.tif 000007
【図２−３】
2006308227.tif 000008
【図３−１】
2006308227.tif 000009
【図３−２】
2006308227.tif 000010
【図３−３】
2006308227.tif 000011
【図４−１】
2006308227.tif 000012
【図４−２】
2006308227.tif 000013
【図４−３】
2006308227.tif 000014
【図５−１】
2006308227.tif 000015
【図５−２】
2006308227.tif 000016
【図５−３】
2006308227.tif 000017
【図６−１】
2006308227.tif 000018
【図６−２】
2006308227.tif 000019
【図６−３】
2006308227.tif 000020